(57)【要約】      （修正有）【課題】ＰＴＰ包装体のポケット部に収容されている錠剤、カプセル剤を容器内に容易に取り出して衛生的に服用できる錠剤、カプセル剤取り出し器を提供する。【解決手段】ＰＴＰ包装体を、包装されている錠剤やカプセル剤の１つ１つに分割して分割ＰＴＰ包装体とする。この分割ＰＴＰ包装体を収納して携帯できる容器本体１０の開口部を覆う平板部材１１に、錠剤やカプセル剤を通過させる孔１２，１４等を設ける。上記平板部材１１の表面側における各孔１２，１４等の周辺部に凹み１５を設ける。又、上記各孔１２，１４等は、テーパ形状として錠剤、カプセル剤を位置決めできるようにする。【選択図】図２
0003173266.tif 000002
【実用新案登録請求の範囲】
【請求項１】
錠剤又はカプセル剤を１個ずつに分割した各分割ＰＴＰ包装体の複数個を収納できる容積を有する容器本体と、該容器本体の開口部を開閉可能に覆う平板部材とを備え、該平板部材に、錠剤を通過させる大きさの孔と、カプセル剤を通過させる大きさの孔とを設け、且つ上記各孔の周辺部に、該各孔に対応する錠剤又はカプセル剤をポケット部に収容する分割ＰＴＰ包装体の大きさに合わせた広さの凹みを設けた構成を有することを特徴とする錠剤、カプセル剤取出し器。
【請求項２】
錠剤又はカプセル剤を通過させる大きさの孔を平板部材の表面側に広くなるテーパ形状とし、該テーパ形状とした孔の外端部で錠剤やカプセル剤押圧時の位置決めを行わせるようにする請求項１記載の錠剤、カプセル剤取出し器。
【請求項３】
錠剤又はカプセル剤を通過させる大きさの孔の周辺に設けた凹みを、孔ごとに各孔に向けて下り勾配となるように傾斜させた請求項１又は２記載の錠剤、カプセル剤取出し器。
【考案の詳細な説明】
【技術分野】
【０００１】
本考案は、ＰＴＰ（Ｐｒｅｓｓ  Ｔｈｒｏｕｇｈ  Ｐａｃｋａｇｉｎｇ）包装体のポケット部に収容されている薬剤としての錠剤やカプセル剤を、該ポケット部から取り出すために用いる錠剤、カプセル剤取出し器に関するものである。
【背景技術】
【０００２】
経口医薬品のうち、錠剤３や薬剤を封入したカプセル剤４は、図６（ａ）（ｂ）（ｃ）に示す如く、ＰＴＰ包装体１に形成される個々のポケット部２に、１個ずつ収容されるようにしてある。
【０００３】
上記ＰＴＰ包装体１は、図６（ａ）（ｂ）（ｃ）に示す如く、一般的に、錠剤３又はカプセル剤４を収容するための空間部としての凹部５を成形させてなるポケット部２を有するプラスチックフィルム１ａと、上記各ポケット部２を覆うように上記プラスチックフィルム１ａの凹部５側となる裏面側に積層されたシート状のフィルム１ｂとにより構成されている。
【０００４】
上記ＰＴＰ包装体１の各ポケット部２は、錠剤３の大小異なる大きさに合わせた大きさの凹部５として成形され、又、カプセル剤４の場合は、カプセル剤４の大きさ形状に合わせて図６（ｂ）のように成形されており、各ポケット部２には、それぞれ錠剤３又はカプセル剤４が収容されて提供されている。
【０００５】
上記のようにＰＴＰ包装体１のポケット部２に収容されている錠剤３又はカプセル剤４を服用するときは、プラスチックフィルム１ａの表面側に突出しているポケット部２の凸状部６を、該プラスチックフィルム１ａの裏面側に指先で押して、シート状のフィルム１ｂを破ることにより、ポケット部２内部の錠剤３又はカプセル剤４を押し出して取り出すようにしている。
【０００６】
しかし、ＰＴＰ包装体１のポケット部の凸状部６を指先で押して錠剤３又はカプセル剤４を取り出すときは、ポケット部２の蓋として機能しているシート状のフィルム１ｂが錠剤３やカプセル剤４を介して押されるときの圧力で破られるため、錠剤３やカプセル剤４が勢い良く取り出されて、遠くへ転がって行ったり、テーブルから床に落ちたりすることがある。特に、指先に力があまり入らないような者がＰＴＰ包装体１から錠剤３やカプセル剤４を取り出そうとするときは、力が弱いため取り出し難く、取り出したとしても、目標の手元位置に取り出すことが難しく、錠剤３やカプセル剤４を紛失したりすることがある。そのため、直ちに服用できないというような事態が生じているのが実状である。
【０００７】
このような事態を防止するものとして、ＰＴＰ包装体１のポケット部２内に収容されている錠剤３やカプセル剤４を容器内に取り出すようにしたり、テーブル上の限られたスペースに取り出すようにするものが提案されている。
【０００８】
その一例として、錠剤やカプセル剤を容器内に取り出すようにしたものとしては、取り出された錠剤やカプセル剤を収納できる容器の蓋に、錠剤やカプセル剤を通過させ得る大きさの貫通孔を設け、ＰＴＰ包装体のポケット部を、凸状部が上側となるように蓋の貫通孔に合わせて蓋の上に置き、指先でポケット部の凸状部を上方から押すことにより、ポケット部裏面側のシート状のフィルムを破って、錠剤又はカプセル剤を貫通孔を通して容器内に落とすようにしたものがある。又、ＰＴＰ包装体のポケット部を指先で押すことに代えて、蓋に押え板を上下方向へ回動可能に取り付けて、蓋の上に載せたＰＴＰ包装体のポケット部を、押え板で押すようにしたものもある（特開２００２−１０２３１２号公報参照）。
【先行技術文献】
【特許文献】
【０００９】
【特許文献１】特開２００２−１０２３１２号公報
【考案の概要】
【考案が解決しようとする課題】
【００１０】
ところが、上記ＰＴＰ包装体のポケット部から取り出された錠剤やカプセル剤を容器内に収納させるようにするものは、容器の蓋に、取り出される錠剤やカプセル剤の大きさに合わせた大きさの貫通孔が設けてあるだけである。そのため、貫通孔の位置にＰＴＰ包装体のポケット部を位置させながら該ポケット部を強く蓋に押し付けるようにすることが必要であり、指先の力が弱い者や、指先に力が入り難い者の場合は、蓋の貫通孔に錠剤やカプセル剤を通して容器内に取り出すようにすることは容易ではないという問題がある。
【００１１】
そこで、本考案は、容器の蓋に開口して設ける大小異なる大きさの錠剤に対応する孔や、カプセル剤の大きさに対応する孔を通して、ＰＴＰ包装体のポケット部内の錠剤やカプセル剤を安定よく確実に容器内に収納できるようにし、更に、錠剤やカプセル剤を包装したＰＴＰ包装体を携帯できて、服用時に容易にＰＴＰ包装体から錠剤やカプセル剤を取り出せるようにする錠剤、カプセル剤取出し器を提供しようとするものである。
【課題を解決するための手段】
【００１２】
本考案は、上記課題を解決するために、請求項１に対応して、錠剤又はカプセル剤を１個ずつに分割した各分割ＰＴＰ包装体の複数個を収納できる容積を有する容器本体と、該容器本体の開口部を開閉可能に覆う平板部材とを備え、該平板部材に、錠剤を通過させる大きさの孔と、カプセル剤を通過させる大きさの孔とを設け、且つ上記各孔の周辺部に、該各孔に対応する錠剤又はカプセル剤をポケット部に収容する分割ＰＴＰ包装体の大きさに合わせた広さの凹みを設けた構成とする。
【００１３】
又、上記構成において、錠剤又はカプセル剤を通過させる大きさの孔を平板部材の表面側に広くなるテーパ形状とし、該テーパ形状とした孔の外端部で錠剤やカプセル剤押圧時の位置決めを行わせるようにするものとする。
【００１４】
更に、上記構成において、錠剤又はカプセル剤を通過させる大きさの孔の周辺に設けた凹みを、孔ごとに各孔に向けて下り勾配となるように傾斜させた構成とする。
【考案の効果】
【００１５】
本考案の錠剤、カプセル剤取出し器によれば、次の如き優れた効果を発揮する。 
（１）錠剤又はカプセル剤を１個ずつに分割した各分割ＰＴＰ包装体の複数個を収納できる容積を有する容器本体と、該容器本体の開口部を開閉可能に覆う平板部材とを備え、該平板部材に、錠剤を通過させる大きさの孔と、カプセル剤を通過させる大きさの孔とを設け、且つ上記各孔の周辺部に、該各孔に対応する錠剤又はカプセル剤をポケット部に収容する分割ＰＴＰ包装体の大きさに合わせた広さの凹みを設けた構成としてあるので、服用しようとする錠剤やカプセル剤を容器本体内から一旦取り出した後、錠剤の場合は、錠剤が包装されている分割ＰＴＰ包装体を、錠剤を通す孔周辺の凹みに置くだけで位置決めでき、以後、分割ＰＴＰ包装体のポケット部の凸状部を指先で押すだけで簡単に錠剤を容器内に取り出すことができる。カプセル剤の場合も、カプセル剤を通過させる孔周辺の凹みに分割ＰＴＰ包装体を置くだけで同様に簡単に容器内に取り出すことができる。 
（２）上記（１）により、指先の力が弱い者でも、又、指先に力が入り難いような者でも、分割ＰＴＰ包装体のポケット部を押すだけでよいため、容易に裏面側のフィルムを破ることができて、錠剤やカプセル剤を取り出すことができる。 
（３）上記（１）の構成において、錠剤又はカプセル剤を通過させる大きさの孔を平板部材の表面側に広くなるテーパ形状とし、該テーパ形状とした孔の外端部で錠剤やカプセル剤押圧時の位置決めを行わせるようにすることにより、分割ＰＴＰ包装体のポケット部を押すときに、錠剤やカプセル剤が、それぞれ対応する孔に入り易くなって、より確実に位置決めすることができ、安定して分割ＰＴＰ包装体からの錠剤やカプセル剤を容器内に取り出すことができる。 
（４）更に、上記（１）の構成において、錠剤又はカプセル剤を通過させる大きさの孔の周辺に設けた凹みを、孔ごとに各孔に向けて下り勾配となるように傾斜させた構成とすることにより、分割ＰＴＰ包装体のポケット部を押すことで該分割ＰＴＰ包装体のポケット部裏面側を、凹みの傾斜面に沿わせることができて、該ポケット部の裏面側が引張られ、これに、ポケット部を押すときの錠剤やカプセル剤を介しての押圧作用が付加されることにより、上記分割ＰＴＰ包装体のポケット部裏面側を容易に破ることができる。これにより、指先の力が弱い者などでも小さい力で確実に錠剤やカプセル剤を取り出すことができる。 
（５）本考案における容器本体は、分割ＰＴＰ包装体を収納して携帯できるようにしてあるので、必要時に必要な分割ＰＴＰ包装体を容器本体内より取り出してから、該分割ＰＴＰ包装体に収容されている錠剤やカプセル剤を容器本体内に取り出すことにより、容器本体内に取り出された錠剤やカプセル剤を服用でき、衛生的に扱うことができる。
【図面の簡単な説明】
【００１６】
【図１】本考案の錠剤、カプセル剤取出し器の実施の一形態を示す概略平面図である。
【図２】図１の斜視図である。
【図３】図１のＡ−Ａ矢視図である。
【図４】分割ＰＴＰ包装体を示すもので、（ａ）（ｂ）は異なる錠剤の分割ＰＴＰ包装体を、又、（ｃ）はカプセル剤の分割ＰＴＰ包装体を示す平面図である。
【図５】本考案の錠剤、カプセル剤取出し器の他の形態を示す切断側面図である。
【図６】ＰＴＰ包装体を示すもので、（ａ）は錠剤のＰＴＰ包装体の平面図、（ｂ）はカプセル剤のＰＴＰ包装体の平面図、（ｃ）は（ａ）のＢ−Ｂ矢視拡大図である。
【考案を実施するための形態】
【００１７】
以下、図面に基づき本考案を実施するための形態を説明する。
【００１８】
図１乃至図３は本考案の実施の一形態を示すもので、本考案の錠剤、カプセル剤取出し器は、図４（ａ）（ｂ）に示すように、複数の錠剤包装のＰＴＰ包装体１（図６（ａ）参照）を１錠ずつに分割してなる、大小異なる分割ＰＴＰ包装体７，８と、図４（ｃ）に示すように、複数のカプセル剤包装のＰＴＰ包装体１（図６（ｂ）参照）を個々のカプセル剤４ごとに分割してなる分割ＰＴＰ包装体９とを、複数個ずつ同時に収容できる容積を有する無色又は有色透明、あるいは半透明な合成樹脂製の容器本体１０に、蓋として機能させる平板部材１１を開閉可能に備える。該平板部材１１は、上記各分割ＰＴＰ包装体７，８，９のポケット部２に収容されている錠剤３，３ａ、カプセル剤４を取り出す機能を備えた構成としてある。
【００１９】
詳述すると、上記錠剤包装の分割ＰＴＰ包装体７，８は、図６（ａ）に示すＰＴＰ包装体１を個々の錠剤３ごとに矩形状に切断して分割し、携帯用としたものである。同様に、上記カプセル剤包装の分割ＰＴＰ包装体９は、図６（ｂ）に示すように包装されているカプセル剤４ごとにＰＴＰ包装体１を矩形状に切断して分割し、携帯用としたものである。
【００２０】
容器本体１０に開閉できるように備えてある蓋として機能させる平板部材１１には、直径の大きい錠剤３の外形寸法よりも僅かに大きい径とした孔１２と、該直径の大きい錠剤３よりも小径の錠剤３ａの外形寸法よりも僅かに大きい径とした孔１３と、カプセル剤４の外形よりも僅かに大きい細長の孔１４とを、間隔を置いて内外方向に貫通させて設ける。該各孔１２，１３，１４は、図１及び図３の断面図に示すように、平板部材１１の裏面側から表面側に向けて末広がり状に拡大するテーパ形状とし、拡大された孔１２，１３，１４の各表面側開口部にて、各分割ＰＴＰ包装体７，８，９の各ポケット部２内の３，３ａやカプセル剤４の位置決めができるようにする。
【００２１】
更に、上記平板部材１１の表面側には、孔１２，１３，１４の各周辺部に、図４（ａ）（ｂ）（ｃ）のように切り離された分割ＰＴＰ包装体７，８と９の各矩形状周辺部の大きさに対応する広さに亘り凹み１５を設け、段差部１６を形成するようにする。
【００２２】
上記段差部１６を形成する凹み１５は、図４（ａ）（ｂ）（ｃ）に示す各分割ＰＴＰ包装体７，８，９の各周縁部７ａ，８ａ，９ａを係止できるものであればよく、凹み１５の深さは任意に定めることができる。なお、上記段差部１６を形成するための凹み１５の領域は、孔１２，１３，１４の位置に合わせて、図４（ａ）（ｂ）（ｃ）に示す各分割ＰＴＰ包装体７，８，９をセットにしたときに、該各分割ＰＴＰ包装体７，８，９ごとの周縁部７ａ，８ａ，９ａが凹み１５内に収まるような広さを有するものとしてある。
【００２３】
これにより、錠剤３，３ａ又はカプセル剤４の服用時に、図４（ａ）（ｂ）（ｃ）に示す分割ＰＴＰ包装体７，８又は９のいずれか、たとえば、大きい錠剤３を服用する場合には、分割ＰＴＰ包装体７を、図１の平板部材１１の孔１２周辺の凹み１５に、ポケット部２が外側となるように置けば、該分割ＰＴＰ包装体７を凹み１５に収めることができる。又、この状態でポケット部２を指先で押せば、ポケット部２に収容されている錠剤３が平板部材１１の孔１２の拡大した表面側開口部に押し付けられることにより錠剤３と孔１２との位置決めが行われることになる。
【００２４】
上記容器本体１０には、携帯用ストラップ１８を取り付けるための取付部１７を設けるようにしてもよく、又、容器本体１０に平板部材１１を、ヒンジ結合して開閉自在な一体型式のものとしてもよい。
【００２５】
本考案の錠剤、カプセル剤取出し器は、上記のような構成としてあるので、容器本体１０の開口部を平板部材１１で覆うことにより、薬の収納容器として使用することができ、携帯に便利なものとなる。
【００２６】
本考案の錠剤、カプセル剤取出し器を使用するときは、先ず、図６（ａ）（ｂ）のように複数の錠剤３やカプセル剤４が包装されて提供されるＰＴＰ包装体１から、服用しようとする数のＰＴＰ包装体を、個々の錠剤又はカプセル剤ごとに分割して、図４（ａ）（ｂ）（ｃ）のように１つ１つの錠剤３又は３ａやカプセル剤４ごとの分割ＰＴＰ包装体７，８，９としておくようにする。次いで、上記分割された薬ごとの分割ＰＴＰ包装体７，８又は９の必要数を、予め、容器本体１０内に収納して携帯できるようにする。
【００２７】
次に、薬を服用しようとする際は、平板部材１１を容器本体１０から取り外した後に、服用しようとする錠剤３又は３ａの分割ＰＴＰ包装体７，８や、カプセル剤４の分割ＰＴＰ包装体９を容器本体１０内より取り出すようにする。しかる後、再び、容器本体１０に平板部材１１を被せるようにする。次いで、上記取り出した錠剤３又は３ａの分割ＰＴＰ包装体７，８、あるいは、カプセル剤４の分割ＰＴＰ包装体９を、平板部材１１の対応する孔１２，１３又は１４周辺の凹み１５に載せると、ポケット部２を押し、ポケット部２内から孔１２，１３又は１４を通して錠剤３，３ａ又はカプセル剤４を容器本体１０内に取り出して収納させるようにする。
【００２８】
今、一例として、錠剤３を服用しようちとする場合は、容器本体１０内から取り出した図４（ａ）に示す分割ＰＴＰ包装体７を、容器本体１０に被せた平板部材１１の孔１２周辺に形成してある段差部１６の凹み１５内に載せて置くようにする。この際、上記分割ＰＴＰ包装体７は、裏面側のシート状のフィルム１ｂが平板部材１１の凹み１５の内表面に接するようにして、ポケット部２の凸状部６が外側となるようにセットする。これにより、上記分割ＰＴＰ包装体７の周縁部７ａは、凹み１５の周辺の段差部１６の壁に係止できて、ポケット部２内の錠剤３を孔１２の位置に合わせることができる。
【００２９】
この状態で、分割ＰＴＰ包装体７のポケット部２を指先で押えて、容器本体１０の内部方向へ押すことにより、ポケット２内の錠剤３は、孔１２のテーパ形状によって該孔２の表面側開口部に嵌合させられて位置決めされた状態になる。続いてポケット部２が押されることにより、分割ＰＴＰ包装体７の裏面のシート状のフィルム１ｂが破られ、錠剤３は、上記孔１２内を通って容器本体１０内に落下して収納される。
【００３０】
このようにして容器本体１０内に取り出された錠剤３は、平板部材１１を開けて容器本体１０から取り出すことにより、容易に服用することができる。これにより、分割ＰＴＰ包装体７から取り出された錠剤３がテーブル上を転がったり、床に落ちたりすることはなくなり、指先に力が入りにくいような者が錠剤取り出しを行う場合も、分割ＰＴＰ包装体７からの錠剤の取り出しを容易に且つ安全に行うことができ、常に衛生的に薬の服用が可能となる。
【００３１】
なお、別の錠剤３ａやカプセル剤４を服用する場合は、上記と同様に、図４（ｂ）（ｃ）に示す分割ＰＴＰ包装体８，９を平板部材１１の対応する１３，１４周辺の凹み１５に置くことにより、分割ＰＴＰ包装体８，９のポケット部２を押すだけで、錠剤３ａやカプセル剤を安定よく容器本体１０内に取り出して収納させることができる。
【００３２】
このように本考案の錠剤、カプセル剤取出し器によれば、分割ＰＴＰ包装体７，８，９を収容して携帯できるようにしてある収納容器の容器本体１０と平板部材１１とからなり、且つ平板部材１１に服用する錠剤やカプセル剤の外径に対応させて設けた孔１２，１３，１４を、内側から外側に向けて末広がりとなるテーパ形状とし、更に、各孔１２，１３，１４の周辺に、各分割ＰＴＰ包装体７，８，９の四辺の形状、大きさに対応させた凹み１５による段差部１６が形成されているため、各分割ＰＴＰ包装体の平板部材１１表面への位置あわせと、各錠剤やカプセル剤の孔１２，１３，１４への位置決めを容易に行わせることができる利点を有する。
【００３３】
次に、図５は本考案の実施の他の形態を示す断面図であり、各孔１２，１３，１４はストレートな孔とすると共に、凹み１５を、孔１２，１３，１４の位置が最も低くなるように傾斜させて形成したものである。
【００３４】
すなわち、図１及び図２に示すように孔１２，１３，１４の周辺に、各分割ＰＴＰ包装体７，８，９の矩形状の周縁部７ａ，８ａ，９ａに合わせた凹み１５が形成されていると同様な構成において、孔１２，１３，１４の断面形状はストレートな形状として、対応する錠剤３，３ａやカプセル剤４を通過させる大きさとしてある。又、凹み１５は、各孔１２，１３，１４ごとに周辺部が該各孔１２，１３，１４に向って下り勾配となるようにしてある。
【００３５】
その他の構成は、図１乃至図３に示したものと同様であり、同一のものには同一符号が付してある。
【００３６】
この実施の形態によれば、図４（ａ）（ｂ）（ｃ）に示すような分割ＰＴＰ包装体７，８，９の各ポケット部２から錠剤３又は３ａやカプセル剤４を取り出すために、本考案の錠剤、カプセル剤取出し器の平板部材１１の孔１２，１３，１４に対応させて分割ＰＴＰ包装体７，８，９を凹み１５内に載置させた後、ポケット部２を指先で押すことにより、該ポケット部２が押された分割ＰＴＰ包装体７又は８又は９は、凹み１５の傾斜面に沿わされて変形させられることになる。すなわち、ポケット部２を押された分割ＰＴＰ包装体７又は８又は９は、いずれも周辺部がポケット部２側へ反るように変形させられる。これにより、上記各分割ＰＴＰ包装体７又は８又は９は、ポケット部２内の錠剤３又は３ａあるいはカプセル剤４が各々対応する孔１２又は１３又は１４に押し付けられると同時に、裏面側のシート状のフィルム１ｂが引張られることにより破れ易くすることができる。
【００３７】
したがって、分割ＰＴＰ包装体７，８，９のポケット部２に収容されている錠剤３，３ａやカプセル剤４は、容易にポケット部２から押し出されて取り出されることになり、指先の力が弱い者でも簡単に取り出すことが可能となる。
【００３８】
なお、本考案の錠剤、カプセル剤取出し器は、上記実施の形態のみに限定されるものではなく、図１乃至図３に示す実施の形態における凹み１５を、図５に示す実施の形態における凹み１５のように孔１２，１３，１４に向けて下り勾配となるような構成としてもよく、又、図５に示す実施の形態における孔１２，１３，１４を、図１乃図３に示す実施の形態における孔１２，１３，１４のようにテーパ形状のものとするようにしてもよい。その他本考案の要旨を逸脱しない範囲内で変更を加え得ることは勿論である。
【符号の説明】
【００３９】
２  ポケット部
３  錠剤
３ａ  錠剤
４  カプセル剤
７  分割ＰＴＰ包装体
８  分割ＰＴＰ包装体
９  分割ＰＴＰ包装体
１０  容器本体
１１  平板部材
１２  孔
１３  孔
１４  孔
１５  凹み
【図１】
0003173266.tif 000003
【図２】
0003173266.tif 000004
【図３】
0003173266.tif 000005
【図４】
0003173266.tif 000006
【図５】
0003173266.tif 000007
【図６】
0003173266.tif 000008